(57)【要約】ＨＳ−ＤＳＣＨシステムとともに動作するＭＩＭＯユーザ用の制御チャネルが、ＨＳ−ＳＣＣＨ制御チャネルとチャネル化符号を共有する。ＭＩＭＯ制御チャネル情報は、対象受信者が作成した情報に基づき選択された送信アンテナから信号で送られてもよい。ＭＩＭＯ制御チャネルが使用する変調フォーマットは、対応するＭＩＭＯデータ送信のアンテナストリーム数に基づき選択され得る。
2009522847.tif 000002
【特許請求の範囲】
【請求項１】
ＣＤＭＡ送信装置であって、
関連するＭＩＭＯ  ＣＤＭＡデータ送信用のパラメータを提供するために使用する第１の制御チャネルで送信される第１の制御情報を提供する入力部と、
前記入力部に結合し、関連するシングルアンテナＣＤＭＡデータ送信用のパラメータを提供するために使用する第２の制御チャネルで送信される第２の制御情報への適用にも利用可能なチャネル化符号を、前記第１の制御情報に適用できる送信制御部と
を備えることを特徴とする装置。
【請求項２】
前記送信制御部は、前記第１の制御チャネルで前記第１の制御情報を送信するために利用可能な複数のアンテナの中から１つを選択するために、前記第１の制御情報の対象受信者が作成した情報に対応することを特徴とする請求項１に記載の装置。
【請求項３】
前記送信制御装置は、前記関連するＭＩＭＯ  ＣＤＭＡデータ送信が有するアンテナストリーム数に基づき、前記第１の制御チャネルに対する変調フォーマットを選択することを特徴とする請求項２に記載の装置。
【請求項４】
前記送信制御装置は、前記関連するＭＩＭＯ  ＣＤＭＡデータ送信が有するアンテナストリーム数に基づき、前記第１の制御チャネルに対する変調フォーマットを選択することを特徴とする請求項１に記載の装置。
【請求項５】
前記第１の制御情報は、受信機識別情報を含むことを特徴とする請求項１に記載の装置。
【請求項６】
前記第１の制御情報は、前記ＭＩＭＯデータ送信に使用するトランスポートフォーマットを含むことを特徴とする請求項１に記載の装置。
【請求項７】
前記トランスポートフォーマットは、前記ＭＩＭＯデータ送信が有するアンテナストリーム数を含むことを特徴とする請求項６に記載の装置。
【請求項８】
前記トランスポートフォーマットは、前記ＭＩＭＯデータ送信に使用する変調次数を有することを特徴とする請求項６に記載の装置。
【請求項９】
前記トランスポートフォーマットは、前記ＭＩＭＯデータ送信に使用するトランスポートブロックサイズを有することを特徴とする請求項６に記載の装置。
【請求項１０】
前記トランスポートフォーマットは、前記ＭＩＭＯデータ送信に使用する符号化レートを有することを特徴とする請求項６に記載の装置。
【請求項１１】
前記ＭＩＭＯデータ送信は、複数の符号分割多重チャネルを利用し、前記第１の制御情報はチャネル化符号情報を有することを特徴とする請求項１に記載の装置。
【請求項１２】
無線送信装置であって、
ＭＩＭＯデータ送信の対象受信者が作成した情報を提供する入力部と、
前記入力部に結合し、前記ＭＩＭＯデータ送信用のパラメータを提供するために使用する制御チャネルで制御情報を送信するために、利用可能な複数のアンテナの中から１つを選択するために前記情報に対応する送信制御部と
を備えることを特徴とする装置。
【請求項１３】
前記対象受信者が作成した前記情報は、前記アンテナの１つに関連する通信品質を示す情報を有することを特徴とする請求項１２に記載の装置。
【請求項１４】
前記対象受信者はＣＤＭＡ受信装置であることを特徴とする請求項１２に記載の装置。
【請求項１５】
前記伝送制御部は、前記関連するＭＩＭＯデータ送信が有するアンテナストリーム数に基づき、前記制御チャネル用の変調フォーマットを選択することを特徴とする請求項１２に記載の装置。
【請求項１６】
前記対象受信者が作成した前記情報は、前記アンテナの１つに関連する信号対干渉雑音比を有することを特徴とする請求項１２に記載の装置。
【請求項１７】
前記制御情報は受信機識別情報を含むことを特徴とする請求項１２に記載の装置。
【請求項１８】
無線送信装置であって、
ＭＩＭＯデータ送信が有するアンテナストリーム数を示す情報を提供する入力部と、
前記入力部に結合し、前記ＭＩＭＯデータ送信用のパラメータを提供するために使用する制御チャネルで制御情報を送信するための変調フォーマットを選択するために、前記情報に対応する送信制御部と
を備えることを特徴とする装置。
【請求項１９】
前記制御チャネルに関連する前記ＭＩＭＯデータ送信は、アンテナ対応ストリームＨＡＲＱを使用することを特徴とする請求項１８に記載の装置。
【請求項２０】
前記送信制御部が選択する前記変調フォーマットの変調次数は、前記アンテナストリーム数の増加に応えて増加し、前記アンテナストリーム数の減少に応えて減少することを特徴とする請求項１８に記載の装置。
【請求項２１】
ＣＤＭＡ伝送の方法であって、
関連するＭＩＭＯ  ＣＤＭＡデータ送信用のパラメータを提供するために使用する第１の制御チャネルで送信される第１の制御情報を提供する工程と、
関連するシングルアンテナＣＤＭＡデータ送信用のパラメータを提供するために使用する第２の制御チャネルで送信される第２の制御情報への適用にも利用可能なチャネル化符号を、前記第１の制御情報に適用する工程と
を有する方法
【請求項２２】
前記第１の制御情報の対象受信者が作成した情報に基づき、前記第１の制御チャネルで前記第１の制御情報を送信するために利用可能な複数のアンテナの中から１つを選択する工程を有することを特徴とする請求項２１に記載の方法。
【請求項２３】
前記関連するＭＩＭＯ  ＣＤＭＡデータ送信が有するアンテナストリーム数に基づき、前記第１の制御チャネルに対する変調フォーマットを選択する工程を有することを特徴とする請求項２２に記載の方法。
【請求項２４】
前記関連するＭＩＭＯ  ＣＤＭＡデータ送信が有するアンテナストリーム数に基づき、前記第１の制御チャネルに対する変調フォーマットを選択する工程を有することを特徴とする請求項２１に記載の方法。
【請求項２５】
前記第１の制御情報は、受信機識別情報を含むことを特徴とする請求項２１に記載の方法。
【請求項２６】
前記第１の制御情報は、前記ＭＩＭＯデータ送信に使用するトランスポートフォーマットを含むことを特徴とする請求項２１に記載の方法。
【請求項２７】
前記トランスポートフォーマットは、前記ＭＩＭＯデータ送信が有するアンテナストリーム数を含むことを特徴とする請求項２６に記載の方法。
【請求項２８】
前記トランスポートフォーマットは、前記ＭＩＭＯデータ送信に使用する変調次数を含むことを特徴とする請求項２６に記載の方法。
【請求項２９】
前記トランスポートフォーマットは、前記ＭＩＭＯデータ送信に使用するトランスポートブロックサイズを含むことを特徴とする請求項２６に記載の方法。
【請求項３０】
前記トランスポートフォーマットは、前記ＭＩＭＯデータ送信に使用する符号化レートを含むことを特徴とする請求項２６に記載の方法。
【請求項３１】
前記ＭＩＭＩＯデータ送信は、複数の符号分割多重チャネルを利用し、前記第１の制御情報はチャネル化符号情報を含むことを特徴とする請求項２１に記載の方法。
【請求項３２】
無線データ送信の方法であって、
ＭＩＭＩＯデータ送信の対象受信者が作成した情報を提供する工程と、
前記情報に応えて、前記ＭＩＭＯデータ送信用のパラメータを提供するために使用する制御チャネルで制御情報を送信するために、利用可能な複数のアンテナの中から１つを選択する工程と
を有することを特徴とする方法。
【請求項３３】
前記ＭＩＭＯデータ送信が有するアンテナストリーム数に基づき、前記制御チャネルに対する変調フォーマットを選択する工程を有することを特徴とする請求項３２に記載の方法。
【請求項３４】
無線データ送信の方法であって、
ＭＩＭＯデータ送信が有するアンテナストリーム数を示す情報を提供する工程と、
前記情報に応えて、前記ＭＩＭＯデータ送信用のパラメータを提供するために使用する制御チャネルで制御情報を送信するために、変調フォーマットを選択する工程と
を有することを特徴とする方法。
【発明の詳細な説明】
【技術分野】
【０００１】
本発明は、一般に無線通信に関し、より詳細には、無線通信の制御チャネルに関する。
【背景技術】
【０００２】
以下の文献について、本願に引用して援用する。
［１］  Ｓ．Ｔ．Ｃｈｕｎｇ、Ａ．Ｌｏｚａｎｏ、Ｈ．Ｈｕａｎｇ著"Ａｐｐｒｏａｃｈｉｎｇ  ｅｉｇｅｎｍｏｄｅ  ＢＬＡＳＴ  ｃｈａｎｎｅｌ  ｃａｐａｃｉｔｙ  ｕｓｉｎｇ  Ｖ−ＢＬＡＳＴ  ｗｉｔｈ  ｒａｔｅ  ａｎｄ  ｐｏｗｅｒ  ｆｅｅｄｂａｃｋ（レートおよび電力フィードバックを有するＶ−ＢＬＡＳＴを使用した固有モードＢＬＡＳＴチャネル容量アプローチ）"、ＩＥＥＥ  Ｖｅｈ．Ｔｅｃｈｎｏｌ．Ｃｏｎｆ．、２００１年９月、ｐ．９１５‐９１９。
【０００３】
［２］  Ｓ．Ｇｒａｎｔ、Ｊ．−Ｆ．Ｃｈｅｎｇ、Ｌ．Ｋｒａｓｎｙ、Ｋ．Ｍｏｌｎａｒ、Ｙ．−Ｐ．Ｅ．Ｗａｎｇ著"Ｐｅｒ−ａｎｔｅｎｎａ  ｒａｔｅ  ｃｏｎｔｒｏｌ（ＰＡＲＣ）  ｉｎ  ｆｒｅｑｕｅｎｃｙ  ｓｅｌｅｃｔｉｖｅ  ｆａｄｉｎｇ  ｗｉｔｈ  ＳＩＣ−ＧＲＡＫＥ  Ｒｅｃｅｉｖｅｒ（ＳＩＣ−ＧＲＡＫＥ受信機を有する周波数選択フェーディングにおけるＰＡＲＣ（Ｐｅｒ−Ａｎｔｅｎｎａ  Ｒａｔｅ  Ｃｏｎｔｒｏｌ）"、ＩＥＥＥ  Ｖｅｈ．Ｔｅｃｈｎｏｌ．Ｃｏｎｆ．、２００４年９月。
【０００４】
［３］  Ｈ．Ｚｈｅｎｇ、Ａ．Ｌｏｚａｎｏ、Ｈ．Ｈｕａｎｇ著"Ｍｕｌｔｉｐｌｅ  ＡＲＱ  ｐｒｏｃｅｓｓｅｓ  ｆｏｒ  ＭＩＭＯ  ｓｙｓｔｅｍｓ（ＭＩＭＯシステム用複数ＡＲＱプロセス"、Ｐｒｏｃ．  ＩＥＥＥ  Ｐｅｒｓｏｎａｌ、Ｉｎｄｏｏｒ  ａｎｄ  Ｍｏｂｉｌｅ  Ｃｏｍｍｕｎ．、２００２年９月１５〜１８日、ｐ．１０２３‐１０２６。
【０００５】
［４］  米国特許出願１０／８４１，９１１、２００４年５月７日出願、発明の名称"Ｂａｓｅ  ｓｔａｔｉｏｎ，  ｍｏｂｉｌｅ  ｔｅｒｍｉｎａｌ  ｄｅｖｉｃｅ  ａｎｄ  ｍｅｔｈｏｄ  ｆｏｒ  ｉｍｐｌｅｍｅｎｔｉｎｇ  ａ  ｓｅｌｅｃｔｉｖｅ−ｐｅｒ−ａｎｔｅｎｎａ  ｒａｔｅ−ｃｏｎｔｒｏｌ  （Ｓ−ＰＡＲＣ）  ｔｅｃｈｎｉｑｕｅ  ｉｎ  ａ  ｗｉｒｅｌｅｓｓ  ｃｏｍｍｕｎｉｃａｔｉｏｎｓ  ｎｅｔｗｏｒｋ（無線通信ネットワークにおけるＳ−ＰＡＲＣ（Ｓｅｌｅｃｔｉｖｅ−Ｐｅｒ−Ａｎｔｅｎｎａ  Ｒａｔｅ−Ｃｏｎｔｒｏｌ）技術実施の基地局、携帯端末装置および方法）"。
【０００６】
ＭＩＭＯ（Ｍｕｌｔｉｐｌｅ−Ｉｎｐｕｔ−Ｍｕｌｔｉｐｌｅ−Ｏｕｔｐｕｔ）技術は、ＷＣＤＭＡ規格の高速ダウンリンク共有チャネル（ＨＳ−ＤＳＣＨ、High-Speed Downlink Shared Channel）設備などの第３世代セルラシステムおいて、データ転送速度を高めるために検討された。最近、ＨＳ−ＤＳＣＨとともにＰＡＲＣ（Ｐｅｒ−Ａｎｔｅｎｎａ−Ｒａｔｅ−Ｃｏｎｔｒｏｌ）と呼ばれるＭＩＭＯ技術を使用することが提案された（非特許文献１参照）。ＰＡＲＣ方式は、異なるレートでアンテナストリームの個別の符号化を実行する結合送信／受信アーキテクチャに基づき、受信機において一連の干渉打ち消し（ＳＩＣ、Successive Interference Cancellation）および復号化を適用する。選択的ＰＡＲＣ（Ｓ−ＰＡＲＣ）は、ＰＡＲＣの拡張であり、アンテナ選択を有する（文献［１］参照）。Ｓ−ＰＡＲＣでは、物理レイヤトランスポートフォーマットは、選択したアンテナ、復号化順序、チャネル化符号割り当て、変調フォーマットおよび符号化率を有する。
【０００７】
ＷＣＤＭＡ（広帯域ＣＤＭＡ）リリース５では、高速共有制御チャネル（ＨＳ−ＳＣＣＨ、High-Speed Shared Control Channel）と呼ばれるダウンリンク制御チャネルが、関連する送信時間間隔（ＴＴＩ）にどのユーザがＨＳ−ＤＳＣＨ伝送を受信するようにスケジュールされているかの信号を送るために使用される。ＨＳ−ＳＣＣＨは、関連するＴＴＩに関するトランスポートフォーマット情報およびＨＡＲＱ（ハイブリッドＡＲＱ）情報も信号で送る。図１は、ＨＳ−ＳＣＣＨとＨＳ−ＤＳＣＨとの間のタイミング関係を示す。図示のように、各ＨＳ−ＤＳＣＨサブフレームは、その関連するＨＳ−ＳＣＣＨサブフレームより２タイムスロット遅く送信される。それ故、宛先のユーザ装置（例えば、携帯端末）は、ＨＳ−ＤＳＣＨで関連データを受信する前に、ＨＳ−ＳＣＣＨでパートＩの全部を受信する。パートＩでは、宛先のユーザ装置に、そのＲＡＫＥ受信機の構成を可能にするために十分な情報（例えば、チャネル化符号割り当ておよび変調フォーマット）と一緒にユーザ装置識別情報を信号で送る。２タイムスロットオフセットにより、データがＨＳ−ＤＳＣＨで到着する前に、ユーザ装置は、ＲＡＫＥ受信機構成を完了するために十分な処理時間が与えられる。ＨＳ−ＳＣＣＨサブフレームのパートＩＩは、ＲＡＫＥ出力を処理し、ＨＳ−ＤＳＣＨで伝送された情報ビットを回収するために必要な符号化情報およびＨＡＲＱ関連情報を運ぶ。同様に、ＷＣＤＭＡリリース５では、最大４つのＨＳ−ＳＣＣＨを提供し、所与のＴＴＩに最大４つの異なるユーザに信号を送れるようにしている。各ＨＳ−ＳＣＣＨは、拡散率１２８のチャネル化符号（ｃｈａｎｎｅｌｉｚａｔｉｏｎ  ｃｏｄｅ）を割り当てられる。ＷＣＤＭＡリリース５によれば、ＨＳ−ＤＳＣＨは、常に１つのデータストリーム用に構成される（非ＭＩＭＯ）。従って、ＷＣＤＭＡリリース５によるＨＳ−ＳＣＣＨは、非ＭＩＭＯモードで動作しているユーザに信号を送るためだけに使用される。
【発明の開示】
【発明が解決しようとする課題】
【０００８】
ＭＩＭＯ技術をＨＳ−ＤＳＣＨとともに効果的に使用するためには、ＨＳ−ＳＣＣＨに関して前述の制御情報と同じ一般的種類のＭＩＭＯ関連制御情報を、ユーザ装置に送信する必要がある。
【課題を解決するための手段】
【０００９】
本発明の実施形態例は、ＨＳ−ＤＳＣＨシステムとともに動作する、ＭＩＭＯユーザ用の制御チャネルを提供する。これらの実施形態例では、送信時間間隔中にＭＩＭＯユーザまたは非ＭＩＭＯユーザへのデータ送信のために、例えば電力および利用可能なチャネル化符号などの固定的な無線リソースを割り当て得る。このようなデータ送信をサポートするために、データ送信の前に、関連データの送信対象のユーザ装置識別情報、トランスポートフォーマットおよびＨＡＲＱ関連情報などの情報を提供する制御信号が送信される。非ＭＩＭＯユーザが対象のときは、非ＭＩＭＯ制御チャネルが送信されるのに対して、ＭＩＭＯユーザが対象のときは、ＭＩＭＯ制御チャネルが送信される。ＭＩＭＯ制御チャネルは、非ＭＩＭＯ制御チャネルとチャネル化符号を共有する。すなわち、チャネル化符号は、固定的な無線リソースが非ＭＩＭＯユーザにデータ送信を提供するために使用されるか、それともＭＩＭＯユーザにデータ送信を提供するために使用されるかに応じて、非ＭＩＭＯ制御チャネルかまたはＭＩＭＯ制御チャネルを送信するために使用される。いくつかの実施形態では、ＭＩＭＯ制御チャネル情報を、対象受信者が作成した情報に基づき選択された送信アンテナから信号で送り得る。いくつかの実施形態では、ＭＩＭＯ制御チャネルが使用する変調フォーマットを、対応するＭＩＭＯデータ送信のアンテナストリーム数に基づき選択し得る。
【発明を実施するための最良の形態】
【００１０】
本発明の実施形態例は、ユーザ装置識別情報、チャネル化符号割り当て、ＭＩＭＯデータストリーム数および変調およびトランスポートブロックサイズもしくは符号化率を含むトランスポートフォーマット、ならびにＨＡＲＱ関連情報などのシグナリング制御情報用の制御チャネルを、ＨＳ−ＤＳＣＨシステムとともに動作するＭＩＭＯユーザに提供する。この制御チャネルは、本明細書では一般にＭＩＭＯ−ＳＣＣＨと呼び、関連するデータ送信チャネルは、本明細書では一般にＭＩＭＯ−ＤＳＣＨと呼ぶ。ＭＩＭＯ−ＳＣＣＨ制御チャネルは、ＨＳ−ＳＣＣＨ制御チャネルとチャネル化符号を共有する。従って、ＭＩＭＯ−ＳＣＣＨには、追加のチャネル化符号は必要ない。ＭＩＭＯ−ＳＣＣＨ制御チャネルには、対象受信者のチャネル品質報告に示される利用可能な最善の送信アンテナから信号を送り得る。ＭＩＭＯ−ＳＣＣＨ制御チャネルが使用する変調フォーマットは、対応するＭＩＭＯデータ送信に使用されるアンテナストリーム数に基づき調整し得る。
【００１１】
図２は、本発明によるＷＣＤＭＡ送信装置の実施形態例を図式的に示す。いくつかの実施形態では、図２の送信装置は、固定基地局に装備される。送信機は、図示の４つのＭＩＭＯ−ＳＣＣＨ制御チャネルの各々が、それぞれ対応する図示の４つのＨＳ−ＳＣＣＨ制御チャネルの１つと、図示の４つのチャネル化符号の１つを共有するように構成された送信制御装置２３を有する。送信制御装置２３は、４つのセレクタ２５を有し、各セレクタは、関連データ送信がＭＩＭＯユーザ向けかそれとも非ＭＩＭＯユーザ向けかに応じて、対応するＭＩＭＯ−ＳＣＣＨ制御情報入力か、または対応するＨＳ−ＳＣＣＨ制御情報入力を選択的に受信し得る。一般的に２７で示すように、送信制御装置２３は、それぞれのセレクタ２５によって選択された制御情報入力にそれぞれのチャネル化符号を適用する。
【００１２】
伝送制御装置２３は、各チャネル化符号を対応するＭＩＭＯ−ＳＣＣＨ制御情報かまたは対応するＨＳ−ＳＣＣＨ制御情報のどちらかに選択的に適応し得るように、セレクタ２５を制御する。より具体的には、ｎ＝１、２、３、４で定義されるグループが有する各チャネル化符号＃ｎは、制御チャネルＭＩＭＯ−ＳＣＣＨ＃ｎで伝送に提供される制御情報かまたは制御チャネルＨＳ−ＳＣＣＨ＃ｎで伝送に提供される制御情報のどちらか一方に適用し得る。この手法で、ＨＳ−ＤＳＣＨユーザまたはＭＩＭＯ−ＤＳＣＨユーザに制御チャネル情報を信号で送るために任意の１つのチャネル化符号を使用することができ、ＭＩＭＯ−ＳＣＣＨを実施するために追加の符号は必要ない。所与の受信端末（ユーザ装置）は、ＨＳ−ＤＳＣＨ受信モードで動作しているかそれともＭＩＭＯ受信モードで動作しているかに応じて、ＨＳ−ＳＣＣＨまたはＭＩＭＯ−ＳＣＣＨをリッスンする。
【００１３】
前述のＰＡＲＣシステムなどのシステムでは、異なる送信アンテナは異なるトランスポートフォーマットを使用し得る。それ故、ＭＩＭＯ−ＳＣＣＨ制御チャネルは、１つを超えるアンテナを通じたデータ送信を設定するために、１つを超えるトランスポートフォーマットを信号で送る必要があり得る。他方では、ＨＳ−ＳＣＣＨは、シングルアンテナだけを使用するＨＳ−ＤＳＣＨデータ送信を設定するので、１つのトランスポートフォーマットを信号で送る必要があるだけである。それ故、ＭＩＭＯ−ＳＣＣＨは、時にはＨＳ−ＳＣＣＨより多くの情報を信号で送る必要があり得る。しかし、ＭＩＭＯ−ＳＣＣＨがＨＳ−ＳＣＣＨと同じチャネル化符号を使用するということは、両方のチャネルがＱＰＳＫ変調を使用する場合、両方のチャネルに対して、チャネル化符号は同数の符号化ビットに割り当てられることを意味する。それ故、ＭＩＭＯ−ＳＣＣＨがＨＳ−ＳＣＣＨより多くの情報ビットを使用するとき、ＭＩＭＯ−ＳＣＣＨチャネルに対する符号化率は、ＨＳ−ＳＣＣＨチャネルの符号化率より高いだろう。
【００１４】
ＨＳ−ＳＣＣＨの符号化スキームを図３に示す。３１で、パートＩ情報が４０ビットに符号化される。３３で、符号化された４０ビットは、拡散率１２８を使用して１スロット内の２０のＱＰＳＫシンボルにマッピングされる。３５で、パートＩＩ情報が（ＣＲＣ情報と一緒に）８０ビットに符号化される。３７で、８０の符号化ビットは、１スロット内の４０のＱＰＳＫにマッピングされる。従って、ＨＳ−ＳＣＣＨと同じチャネル化符号を再使用するために、ＭＩＭＯ−ＳＣＣＨは、パートＩ情報に関して２０シンボルに、パートＩＩ情報に関して４０シンボルに限定される。
【００１５】
ＭＩＭＯ技術に対するストリーム対応ＨＡＲＱ(per-stream HARQ)方式も提案されており（文献［２］参照）、ＴＴＩ対応ＨＡＲＱ(per-TTI HARQ)より優れたスループットを与えることが示されている。しかし、ストリーム対応ＨＡＲＱ処理をサポートするためには、パートＩＩの情報のすべて（図１と３参照）を、各アンテナストリームに提供しなければならない。４×４のＭＩＭＯシステムを例にとり、図３を参照して、パートＩＩ情報の完全なセットは、（６＋３＋３＋１）×４＝５２ビットを収容する。この場合、これらの５２ビットに加えてＣＲＣの１６ビットが、符号化される必要があるだろう。また、各ＨＡＲＱプロセスを識別するために必要なビット数（図３の３９参照）も、ストリーム対応ＨＡＲＱでは所与の時間における未確認のＨＡＲＱプロセス数が増加するので、増加する必要が有り得る。
【００１６】
上記の理由や他の理由のために、多くの場合において、ＭＩＭＯ−ＳＣＣＨチャネルがＨＳ−ＳＣＣＨによって課された符号化ビットの制限（パートＩに関しては４０ビット、パートＩＩに関しては８０ビット）によって制約されている場合、符号化利得は著しく少なくなることがある。本発明のいくつかの実施形態例では、前述の符号化利得問題の軽減に役立たせるために高次変調を使用する。例えばいくつかの実施形態では、アンテナストリーム数が閾値を超えるとき、高次変調を使用する。種々の実施形態例において、アンテナストリーム数が少なくとも３または４であるとき、符号化されたパートＩＩのビットを変調するために、ＱＰＳＫの代わりに１６ＱＡＭを使用する。１６ＱＡＭ変調では、パートＩＩに関して利用可能な符号化ビット数は１６０であり、すなわち符号化は、当技術分野では周知のように、変調調整に対応して調節し得る。それに対応して、ＦＥＣ符号化利得は、高次変調の使用により大幅に改善し得る。
【００１７】
しかし、高次変調は、一般により低次の変調よりエネルギー効率が低いと予想し得る。いくつかの実施形態例では、ＭＩＭＯ−ＳＣＣＨシグナリングに利用可能な最善の送信アンテナを使用することにより、これに対する補償を試みる。いくつかの実施形態では、ユーザ装置から受信する利用可能チャネル品質報告は、そのユーザへの送信のためにどのアンテナが最善かを決定するために調べられる。留意することは、通常、比較的多いアンテナストリーム数で、ユーザ端末は、それに相応する比較的大きい信号対干渉雑音比（ＳＮＩＲ）を享受する。このようなシナリオでは、最善の送信アンテナは、高次変調の使用を正当化するに十分な大きい容量をしばしば達成する。
【００１８】
図４は、本発明によるＷＣＤＭＡ送信装置の別の実施形態例を図式的に示す。図４の送信機構造は図２の構造とおおむね同様であるが、図４の送信制御装置４０は、前述のものなどの最善の送信アンテナ選択と高次変調選択とを追加で組み込んでいる。図４に示す構成例では、チャネル化符号＃１と＃４がＨＳ−ＳＣＣＨを信号で送るために使用され、チャネル化符号＃２と＃３がＭＩＭＯ−ＳＣＣＨを信号で送るために使用される。ＨＳ−ＳＣＣＨ＃１チャネルとＨＳ−ＳＣＣＨ＃４チャネルは、両方ともアンテナ１から信号で送られる（これは、非ＭＩＭＯシステムへの下位互換性を維持する）。ＭＩＭＯ−ＳＣＣＨ＃２チャネルとＭＩＭＯ−ＳＣＣＨ＃３チャネルは、それぞれアンテナ４と３から信号で送られる。ＭＩＭＯ−ＳＣＣＨ＃２チャネルとＭＩＭＯ−ＳＣＣＨ＃３チャネルの伝送用のアンテナは、それぞれスケジュールされたユーザによって提供されたチャネル品レポート４９に基づき、アンテナセレクタ４１で決定される。比較器４３は、ＭＩＭＯストリーム数Ｎを閾値ＴＨと比較し、ストリーム数が閾値を満たす場合、高次変調（例えば１６ＱＡＭ）を使用するようにトランスポートフォーマット器４７に信号を送り、そうでない場合、いつものＨＳ−ＳＣＣＨ変調（例えばＱＰＳＫ）を使用するようにトランスポートフォーマット器４７に伝える制御信号４５を出力する。ＰＡＲＣでは、異なるアンテナは異なるトランスポートフォーマットを使用し得ることも思い起こすと、ユーザのチャネル品質レポートもトランスポートフォーマット器４７に提供され、トランスポートフォーマット器４７は、伝送フォーマッティングを選択したアンテナに適切にマッチし得るようにする。
【００１９】
いくつかの実施形態では、ＭＩＭＯ−ＳＣＣＨは、低擬態確率、すなわち、ＭＩＭＯ−ＳＣＣＨメッセージがＨＳ−ＳＣＣＨとして受信されることがかなり低い確率になるように設計される。これは、例えばパートＩ、パートＩＩおよびＣＲＣの符号化ビットに、スケジュールしたユーザに特に関連するスクランブリングマスクを適用するような実施形態で実現される。同様のマスクは、先行技術のＨＳ−ＳＣＣＨシステムで知られており使用されている。
【００２０】
本発明の実施形態例についてこれまで詳細に説明したが、このことは、種々の実施形態で実践し得る本発明の範囲を限定しない。
【図面の簡単な説明】
【００２１】
【図１】従来のＷＣＤＭＡシステムにおけるＨＳ−ＳＣＣＨ制御チャネルとＨＳ−ＳＤＣＨデータチャネルとの間のタイミング関係を示すタイミング図である。
【図２】本発明の実施形態例によるＣＤＭＡ送信装置の概略図である。
【図３】先行技術によるＨＳ−ＳＣＣＨの符号化および変調の概略図である。
【図４】本発明の別の実施形態例によるＣＤＭＡ送信装置の概略図である。
【図１】
2009522847.tif 000003
【図２】
2009522847.tif 000004
【図３】
2009522847.tif 000005
【図４】
2009522847.tif 000006
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
ＣＤＭＡ送信装置であって、
ＭＩＭＯまたは非ＭＩＭＯを利用している、同じチャネル化符号を共有する複数のユーザに対してデータを送信し、関連するデータ送信がＭＩＭＯユーザまたは非ＭＩＭＯユーザのどちらを対象としているかに応じて、対応するＭＩＭＯ制御情報入力、または対応する非ＭＩＭＯ制御情報入力のいずれか一方を選択的に受信するセレクタ（２５）を更に含む送信制御部（２３）と、
同じチャネル化符号を共有するＭＩＭＯユーザ及び非ＭＩＭＯユーザに、共通のアンテナを用いて同時にデータを送信するためのアンテナと
を備える装置。
【請求項２】
前記ＭＩＭＯ制御情報はＭＩＭＯ−ＳＣＣＨ制御情報であり、前記非ＭＩＭＯ制御情報はＨＳ−ＳＣＣＨ制御情報である請求項１に記載の装置。
【請求項３】
前記送信制御部は、前記関連するＭＩＭＯ  ＣＤＭＡデータ送信に含まれるアンテナストリーム数に基づいて第１の制御チャネルのための変調フォーマットを選択する請求項１に記載の装置。
【請求項４】
前記制御情報は受信部のＩＤを含む請求項１に記載の装置。
【請求項５】
前記制御情報は、ＭＩＭＯデータ送信のために利用されるトランスポートフォーマットを含む請求項１に記載の装置。
【請求項６】
前記トランスポートフォーマットは、ＭＩＭＯデータ送信に含まれるアンテナストリーム数を含む請求項５に記載の装置。
【請求項７】
前記トランスポートフォーマットは、ＭＩＭＯデータ送信のために利用される変調次数を含む請求項５に記載の装置。
【請求項８】
前記トランスポートフォーマットは、ＭＩＭＯデータ送信のために利用されるトランスポートブロックサイズを含む請求項５に記載の装置。
【請求項９】
前記トランスポートフォーマットは、ＭＩＭＯデータ送信のために利用される符号化レートを含む請求項５に記載の装置。
【請求項１０】
ＣＤＭＡ送信方法であって、
ＭＩＭＯまたは非ＭＩＭＯを利用している、同じチャネル化符号を共有する複数のユーザに対してデータを送信する工程と、
関連するデータ送信がＭＩＭＯユーザまたは非ＭＩＭＯユーザのどちらを対象としているかに応じて、対応するＭＩＭＯ制御情報入力、または対応する非ＭＩＭＯ制御情報入力のいずれか一方を選択的に受信する工程と、
同じチャネル化符号を共有するＭＩＭＯユーザ及び非ＭＩＭＯユーザに、共通のアンテナを用いて同時にデータを送信する工程と
を有する方法。
【請求項１１】
前記ＭＩＭＯ制御情報はＭＩＭＯ−ＳＣＣＨ制御情報であり、前記非ＭＩＭＯ制御情報はＨＳ−ＳＣＣＨ制御情報である請求項１０に記載の方法。
【請求項１２】
前記送信制御部は、前記関連するＭＩＭＯ  ＣＤＭＡデータ送信に含まれるアンテナストリーム数に基づいて第１の制御チャネルのための変調フォーマットを選択する請求項１０に記載の方法。
【請求項１３】
前記制御情報は受信部のＩＤを含む請求項１０に記載の方法。
【請求項１４】
前記制御情報は、ＭＩＭＯデータ送信のために利用されるトランスポートフォーマットを含む請求項１０に記載の方法。
【請求項１５】
前記トランスポートフォーマットは、ＭＩＭＯデータ送信に含まれるアンテナストリーム数を含む請求項１４に記載の方法。
【請求項１６】
前記トランスポートフォーマットは、ＭＩＭＯデータ送信のために利用される変調次数を含む請求項１４に記載の方法。
【請求項１７】
前記トランスポートフォーマットは、ＭＩＭＯデータ送信のために利用されるトランスポートブロックサイズを含む請求項１４に記載の方法。
【請求項１８】
前記トランスポートフォーマットは、ＭＩＭＯデータ送信のために利用される符号化レートを含む請求項１４に記載の方法。
【国際調査報告】
2009522847.tif 000007
2009522847.tif 000008
2009522847.tif 000009
2009522847.tif 000010